【事件の表示】
　特願２０１２−　２１７５７「元素分析装置」拒絶査定不服審判事件〔平成２５年　８月１９日出願公開、特開２０１３−１６０５９４〕について、次のとおり審決する。
【結　論】
　本件審判の請求は、成り立たない。
【理　由】
第１　手続の経緯
　本願は、平成２４年２月３日の出願であって、平成２５年１１月１９日付けで拒絶理由が通知され、平成２６年１月２７日付けで意見書が提出されるとともに、同日付けで手続補正がなされたが、同年２月１０日付けで拒絶査定がなされたのに対し、同年５月７日に拒絶査定不服審判の請求がなされるとともに、同日付けで手続補正がなされたものである。
　
第２　平成２６年５月７日付けの手続補正についての補正却下の決定
［補正却下の決定の結論］
　平成２６年５月７日付けの手続補正（以下「本件補正」という。）を却下する。
　
［理由］　
１　本件補正の内容
　本件補正により補正された特許請求の範囲の請求項のうち、請求項１の記載は次のとおりである（下線は補正箇所を示す。）。
　
「るつぼ内に収容された試料を加熱し、前記試料内に含まれる元素をガス化させてサンプルガスとするための抽出炉と、
　前記抽出炉に対してキャリアガスを導入するための導入流路と、
　前記サンプルガスと前記キャリアガスが混合された混合ガスを前記抽出炉から導出するための導出流路と、
　前記導出流路上に設けられており、前記混合ガスに含まれる元素を分析する元素分析部と、
　前記導入流路から分岐して、前記導出流路において前記元素分析部の上流側に合流するバイパス流路と、
　前記バイパス流路上に設けられており、開度が調節可能なバルブと、を備え、
　前記導出流路が一本の流路として形成されており、
　
前記元素分析部が、それぞれが異なる元素を検出する複数の検出器を具備し、各検出器が前記導出流路上に直列に設けられており、
　前記バルブによって前記元素分析部における混合ガス中のサンプルガスの濃度が調節されるように構成されていることを特徴とする元素分析装置。」
　
２　本件補正の目的
　本件補正は、補正前の請求項１の「元素分析装置」において、「
前記元素分析部が、それぞれが異なる元素を検出する複数の検出器を具備し、各検出器が前記導出流路上に直列に設けられて
　したがって、本件補正は、特許法第１７条の２第５項第２号の特許請求の範囲の減縮を目的するものに該当する。
　
３　独立特許要件
　そこで、本件補正後の請求項１に係る発明（以下、「補正発明」という。）が、特許法第１７条の２第６項において準用する同法第１２６条第７項の規定に適合するか、すなわち、本件の特許出願の際に独立して特許を受けることができるものであるかについて以下に検討する。
　
（１）刊行物の記載事項
ア　本願出願前に頒布され、原査定の拒絶の理由で引用された刊行物である特開昭６２−９３６２９号公報（以下、「刊行物１」という。）には、図面の図示と共に、次の事項が記載されている（下線は当審で付した。）。
　
（ア）「〔従来の技術〕
　少なくとも２種類の成分ガスを同時に測定できる多成分同時測定用ガス分析装置を利用した装置の具体例としては、従来から、例えば
金属試料中に含まれている各種の不純物の量を測定するためのガス抽出式金属試料分析装置
　この
ガス抽出式金属試料分析装置は、
ガス抽出部０Ａとそれに連結された多成分（２成分）同時測定用ガス分析部０Ｂとから構成され、前記ガス抽出部０Ａは、キャリアガス導入流路００から供給されるキャリアガス
の存在下で試料金属を加熱溶融することにより、その試料金属中に含まれている各種不純物（酸素、窒素、水素など）に対応する各種成分ガス（ＣＯガス、Ｎ
２
ガス、Ｈ
２
ガスなど）を抽出すための加熱炉（
黒鉛るつぼ）０１と、パージ用電磁弁０２とから成り、また、前記多成分（２成分）同時測定用ガス分析部０Ｂは、前記ガス抽出部０Ａのパージ用電磁弁０２に接続されたサンプルガス導入流路０３に対して、調圧器０４と、流量調整用ニードル弁０５と、ＣＯガス濃度測定用としての第１ガス濃度検出器０Ｄ
Ｉ
と、
酸化器０６と、
ＣＯ
２
除去器０７と、
Ｈ
２
Ｏ除去器０８と、Ｎ
２
ガス濃度測定用としての第２ガス濃度検出器０Ｄ
ＩＩ
と、排出流路０９とを、その順に直列に接続して構成されている。
　
（イ）「〔発明が解決しようとする問題点〕
　ところが、上記したガス抽出式金属試料分析装置に用いられているような多成分（２成分）同時測定用ガス分析部０Ｂを構成する従来構成の多成分同時測定用ガス分析装置には、次のような種々の欠点があった。
　即ち、上記従来構成の多成分同時測定用ガス分析装置は、精々数千ｐｐｍ程度を計測上限とする高感度のものであるため、前記のように金属試料中に極く少量だけ含まれている各種の不純物の量を測定するような場合には非常に好適なものであり、また、
試料が比較的多量の各種含有物を有する
それら各種含有物の量に大きな差が無い場合には、その試料から抽出されたサンプルガスを適当に希釈すれば
　
　上記の記載事項（ア）、（イ）から、刊行物１には、以下の発明が記載されていると認められる。
　
「金属試料中に含まれている各種の不純物の量を測定するためのガス抽出式金属試料分析装置であって、
　ガス抽出部０Ａとそれに連結された多成分（２成分）同時測定用ガス分析部０Ｂとから構成され、
　前記ガス抽出部０Ａは、キャリアガス導入流路００から供給されるキャリアガスの存在下で試料金属を加熱溶融することにより、その試料金属中に含まれている各種不純物（酸素、窒素、水素など）に対応する各種成分ガス（ＣＯガス、Ｎ２ガス、Ｈ２ガスなど）を抽出すための加熱炉（黒鉛るつぼ）０１と、パージ用電磁弁０２とから成り、
　前記多成分（２成分）同時測定用ガス分析部０Ｂは、前記ガス抽出部０Ａのパージ用電磁弁０２に接続されたサンプルガス導入流路０３に対して、調圧器０４と、流量調整用ニードル弁０５と、ＣＯガス濃度測定用としての第１ガス濃度検出器０ＤＩと、酸化器０６と、ＣＯ２除去器０７と、Ｈ２Ｏ除去器０８と、Ｎ２ガス濃度測定用としての第２ガス濃度検出器０ＤＩＩと、排出流路０９とを、その順に直列に接続して構成されており、
　試料が比較的多量の各種含有物を有し、それら各種含有物の量に大きな差が無い場合に、その試料から抽出されたサンプルガスを適当に希釈するガス抽出式金属試料分析装置。」（以下「引用発明１」という。）
イ　本願出願前に頒布され、原査定の拒絶理由で引用された刊行物である特開２００４−９３３１０号公報（以下「刊行物２」という。）には、図面の図示と共に、次の事項が記載されている（下線は当審で付した。）。
（ア）「【０００１】
【発明の属する技術分野】
本発明は、微量試料用熱脱離ガス発生装置に関する。詳細には、生体関連試料、土壌試料のような分解しやすく、微量にしか取得できない成分を含む試料の昇温脱離ガス発生装置に関する。本発明の昇温脱離ガス発生装置は、質量分析装置、特に、
大気圧イオン化質量分析装置
【０００２】
【従来の技術】
物質を加熱気化させて、質量分析、ガスクロマトグラフィー等の分析装置に送り込むための前処理装置としては従来から種々のものが知られているが、その中に
熱脱離ガス発生装置
ＴＤＳ
（イ）「【０００５】
以下に、本発明の
微量試料用ＴＤＳ
図１を参照すれば、
キャリアガス供給手段
からのキャリアガス１
は配管２により流通する
配管２は途中で２つに分岐し、キャリアガス１は第１の流路によりマスフローコントローラー３１およびモレキュラーシーブス４１を経て試料留置手段６に導かれる
試料留置手段６には加熱手段７が外嵌されており
キャリアガス１は第２の流路によりマスフローコントローラー３２およびモレキュラーシーブス４２を経て試料留置手段６の出口に合流する
この出口からのキャリアガスおよびガス化試料を分析装置８に導入し
（ウ）「【００１８】
また、ガス供給手段からの配管２を二分し、一方の流路が、該ガス供給手段と該該試料留置手段６との間おいて上流側に配置されたマスフローコントローラー３１および下流側に配置されたモレキュラーシーブス４１を経て該該試料留置手段６に至るようにし、他方の流路が、上流側に配置されたマスフローコントローラー３２および下流側に配置されたモレキュラーシーブス４２を経て該該試料留置手段６の出口に合流するようにして、
試料量、含有成分、次工程の分析装置の感度等に応じてガス化試料を適宜希釈する
　上記の記載事項（ア）〜（ウ）から、刊行物２には、以下の発明が記載されていると認められる。
「キャリアガス供給手段からのキャリアガス１が配管２により流通し、
　配管２が途中で２つに分岐し、
　キャリアガス１が第１の流路によりマスフローコントローラー３１およびモレキュラーシーブス４１を経て試料留置手段６に導かれ、
　試料留置手段６には加熱手段７が外嵌されており、
　キャリアガス１が第２の流路によりマスフローコントローラー３２およびモレキュラーシーブス４２を経て試料留置手段６の出口に合流するようにして、試料量、含有成分、次工程の分析装置の感度等に応じてガス化試料を適宜希釈し、
　この出口からのキャリアガスおよびガス化試料を大気圧イオン化質量分析装置８に導入する
　微量試料用熱脱離ガス発生装置。」（以下「引用発明２」という。）
　
（２）補正発明と引用発明１との対比
ア　引用発明１の「試料金属を加熱溶融することにより、その試料金属中に含まれている各種不純物（酸素、窒素、水素など）に対応する各種成分ガス（ＣＯガス、Ｎ２ガス、Ｈ２ガスなど）を抽出すための加熱炉（黒鉛るつぼ）０１」は、補正発明の「るつぼ内に収容された試料を加熱し、前記試料内に含まれる元素をガス化させてサンプルガスとするための抽出炉」に相当する。
　
イ　引用発明１の「加熱炉（黒鉛るつぼ）０１」に「キャリアガス」を「供給」する「キャリアガス導入流路００」は、補正発明の「前記抽出炉に対してキャリアガスを導入するための導入流路」に相当する。
　
ウ　引用発明１が「加熱炉（黒鉛るつぼ）０１」と「パージ用電磁弁０２」とを接続する流路を有するのは自明であるから、引用発明１の「加熱炉（黒鉛るつぼ）０１」と「パージ用電磁弁０２」を接続する自明な流路と「前記ガス抽出部０Ａのパージ用電磁弁０２に接続されたサンプルガス導入流路０３」とからなる流路は、補正発明の「前記サンプルガスと前記キャリアガスが混合された混合ガスを前記抽出炉から導出するための導出流路」に相当する。
　
エ　引用発明１が「調圧器０４と、流量調整用ニードル弁０５と、ＣＯガス濃度測定用として第１ガス濃度検出器０ＤＩと、酸化器０６と、除去器０７と、Ｈ２Ｏ除去器０８と、Ｎ２ガス濃度測定用としての第２ガス濃度検出器０ＤＩＩと、排出流路０９とを、その順に直列に接続」する流路を有することは自明であり、この流路は、補正発明の「導出流路」に相当する。
　したがって、引用発明１の上記の自明な流路に「接続」される「ＣＯガス濃度測定用としての第１ガス濃度検出器０ＤＩ」及び「Ｎ２ガス濃度測定用としての第２ガス濃度検出器０ＤＩＩ」は、補正発明の「前記導出流路上に設けられており、前記混合ガスに含まれる元素を分析する元素分析部」に相当する。
　
オ　引用発明１の「調圧器０４と、流量調整用ニードル弁０５と、ＣＯガス濃度測定用としての第１ガス濃度検出器０ＤＩと、酸化器０６と、除去器０７と、Ｈ２Ｏ除去器０８と、Ｎ２ガス濃度測定用としての第２ガス濃度検出器０ＤＩＩと、排出流路０９とを、その順に直列に接続して構成されている」ことは、補正発明の「前記導出流路が一本の流路として形成されて」いることに相当する。
カ　引用発明１の「ＣＯガス濃度測定用としての第１ガス濃度検出器０ＤＩ」と、「Ｎ２ガス濃度測定用としての第２ガス濃度検出器０ＤＩＩ」とが、「酸化器０６と、除去器０７と、Ｈ２Ｏ除去器０８と」を介して、「直列に接続して構成されている」ことは、補正発明の「前記元素分析部が、それぞれが異なる元素を検出する複数の検出器を具備し、各検出器が前記導出流路上に直列に設けられて」いることに相当する。
キ　引用発明１の「試料から抽出されたサンプルガスを適当に希釈する」ことと、補正発明の「前記バルブによって前記元素分析部における混合ガス中のサンプルガスの濃度が調節されるように構成されている」こととは、「前記元素分析部における混合ガス中のサンプルガスの濃度が調節されるように構成されている」点で共通する。
ク　引用発明１の「金属試料中に含まれている各種の不純物」「（酸素、窒素、水素など）」「の量を測定するためのガス抽出式金属試料分析装置」は、補正発明の「元素分析装置」に相当する。
　
　そうすると、両者は
「るつぼ内に収容された試料を加熱し、前記試料内に含まれる元素をガス化させてサンプルガスとするための抽出炉と、
　前記抽出炉に対してキャリアガスを導入するための導入流路と、
　前記サンプルガスと前記キャリアガスが混合された混合ガスを前記抽出炉から導出するための導出流路と、
　前記導出流路上に設けられており、前記混合ガスに含まれる元素を分析する元素分析部と、を備え、
　前記導出流路が一本の流路として形成されており、
　前記元素分析部が、それぞれが異なる元素を検出する複数の検出器を具備し、各検出器が前記導出流路上に直列に設けられており、
　前記元素分析部における混合ガス中のサンプルガスの濃度が調節されるように構成されている元素分析装置。」
の点で一致し、以下の点で相違する。
　
（相違点）
　「前記元素分析部における混合ガス中のサンプルガスの濃度」を「調節」するために、補正発明では「前記導入流路から分岐して、前記導出流路において前記元素分析部の上流側に合流するバイパス流路」と、「前記バイパス流路上に設けられており、開度が調節可能なバルブ」と、を備え、「前記バルブによって」行われるのに対し、引用発明では具体的な構成が不明な点。
（３）相違点についての検討・判断
　引用発明２の「配管２が途中で２つに分岐し」、「試料留置手段６の出口に合流する」「第２の流路」と、「第２の流路」に「配置された」「マスフローコントローラー３２」と、を備え、「試料量、含有成分、次工程の分析装置の感度等に応じてガス化試料を適宜希釈する」ことは、マスフローコントローラーが流量制御のために開度が調節可能なバルブを備えることが技術常識であることに鑑みれば、補正発明の「前記導入流路から分岐して、前記導出流路において前記元素分析部の上流側に合流するバイパス流路」と、「前記バイパス流路上に設けられており、開度が調節可能なバルブ」と、を備え、「前記バルブによって」行われることに相当する。よって、引用発明２は上記相違点に係る補正発明の構成をすべて含むものといえる。
　そして、引用発明２は「大気圧イオン化質量分析装置８に導入する微量試料用熱脱離ガス発生装置」であって、試料に含まれる元素をガス化させて分析する装置の点で引用発明１と共通するから、引用発明１のサンプルガスの濃度を調節するための具体化手段として、引用発明２を適用して本願発明に想到することは、当業者が容易になし得たというべきである。
　
　そして、補正発明の効果も、引用発明１、引用発明２から当業者が予測し得る範囲内のものであり、格別顕著なものとはいえない。
　
（４）小括
　以上のとおり、補正発明は、引用発明１及び引用発明２に基づいて当業者が容易に発明をすることができたものであるから、特許法第２９条第２項の規定により、特許出願の際独立して特許を受けることができないものである。
　
４　まとめ
　したがって、本件補正は、特許法第１７条の２第６項において準用する同法第１２６条第７項の規定に違反するので、同法第１５９条第１項の規定において読み替えて準用する同法第５３条第１項の規定により却下すべきものである。
　
第３　本願発明に対する判断
１　本願発明の認定
　平成２６年５月７日付けの手続補正は、上記のとおり却下されることとなったので、本願の請求項１〜４に係る発明は、平成２６年１月２７日付けの手続補正書の特許請求の範囲の請求項１〜４に記載された事項により特定されるものであるところ、その請求項１に係る発明（以下、「本願発明」という。）は、次のとおりのものである。
　
「るつぼ内に収容された試料を加熱し、前記試料内に含まれる元素をガス化させてサンプルガスとするための抽出炉と、
　前記抽出炉に対してキャリアガスを導入するための導入流路と、
　前記サンプルガスと前記キャリアガスが混合された混合ガスを前記抽出炉から導出するための導出流路と、
　前記導出流路上に設けられており、前記混合ガスに含まれる元素を分析する元素分析部と、
　前記導入流路から分岐して、前記導出流路において前記元素分析部の上流側に合流するバイパス流路と、
　前記バイパス流路上に設けられており、開度が調節可能なバルブと、を備え、
　前記導出流路が一本の流路として形成されており、
　前記バルブによって前記元素分析部における混合ガス中のサンプルガスの濃度が調節されるように構成されていることを特徴とする元素分析装置。」
　
２　刊行物の記載事項
（１）本願出願前に頒布され、原査定の拒絶の理由で引用された上記刊行物１には、図面の図示と共に、次の事項が記載されている（下線は当審で付与した。）。
　
ア　「〔問題点を解決するための手段〕
　上記目的を達成するために、本発明による多成分同時測定用ガス分析装置は、第１図の本考案の概念図（クレーム対応図）に示すように、サンプルガス導入流路３から供給されるサンプルガス中の少なくとも２種類の成分ガスを同時に測定可能なように、前記サンプルガス導入流路３に対して複数のガス濃度検出器ＤＩ、ＤＩＩが連設されているものにおいて、前記複数のガス濃度検出器ＤＩ、ＤＩＩを前記サンプルガス導入流路３に対して互いに並列関係となるように配設すると共に、
前記各ガス濃度検出器Ｄ
Ｉ
、Ｄ
ＩＩ
に対して前記サンプルガスを所定の比率で分流して夫々供給可能なサンプルガス分流手段Ｘを前記サンプルガス導入流路３に設け、かつ、前記サンプルガス分流手段Ｘと前記各ガス濃度検出器Ｄ
Ｉ
、Ｄ
ＩＩ
の間に、夫々、前記サンプルガス分流手段Ｘにより分流されたサンプルガスを更に希釈可能なサンプルガス希釈手段Ｙ
Ｉ
、Ｙ
ＩＩ
を設けてある
イ　「〔実施例〕
　以下、本発明の具体的実施例を図面（第２図ないし第５図）に基いて説明する。
　第２図は、本発明に係る多成分同時測定用ガス分析装置を利用して構成されたガス抽出式試料分析装置の全体概略構成を示している。
　この
ガス抽出式試料分析装置は
ガス抽出部Ａとそれに連結された２成分同時測定用ガス分析部Ｂとから構成されている
　
前記ガス抽出部Ａは、キャリアガス導入流路０から供給されるキャリアガス
の存在下で試料
を加熱溶融することにより、その試料中に含まれている各種成分（
酸素、窒素、水素など）に対応する各種成分ガス（ＣＯガス、Ｎ
２
ガス、Ｈ
２
ガスなど）を抽出するための加熱炉（
黒鉛るつぼ）１と、パージ用電磁弁２とから構成されている
　そして、
前記２成分同時測定用ガス分析部Ｂは、前記ガス抽出部Ａのパージ用電磁弁２に接続されたサンプルガス導入流路３に対して、ＣＯ濃度測定系ＩおよびＮ
２
濃度測定系ＩＩとを、互いに並列となる状態で夫々接続して構成されている
　
前記ＣＯ濃度測定系Ｉは
前記キャリアガス導入流路０から分岐された第１キャリアガス流路０
Ｉ
と
第１導出流路１２
Ｉ
に介装された第１調圧器４
Ｉ
、第１流量調整用ニードル弁５
Ｉ
、ＣＯガス濃度測定用非分散型赤外線検出器から成る第１ガス濃度検出器Ｄ
Ｉ
と、第１排出流路９
Ｉ
とから構成されている
　また、
前記Ｎ
２
濃度測定系ＩＩは
前記キャリアガス導入流路０から分岐された第２キャリアガス流路０
ＩＩ
と
第２導出流路１２
ＩＩ
に介装された第２調圧器４
ＩＩ
、第２流量調整用ニードル弁５
ＩＩ
、
酸化器６、
ＣＯ
２
除去器７、
Ｈ
２
Ｏ除去器８、Ｎ
２
ガス濃度測定用熱伝導型検出器から成る第２ガス濃度検出器Ｄ
ＩＩ
と、第２排出流路９
ＩＩ
とから構成されている
　
ウ　「また、上記各実施例においては、サンプルガス分流手段Ｘおよびサンプルガス希釈手段ＹＩ、ＹＩＩを一纏めに兼用構成したサンプルガス分流・希釈手段Ｚを用いたものを示したが、前記第１図の本発明概念図に示したように、
サンプルガス分流手段Ｘとサンプルガス希釈手段Ｙ
Ｉ
、Ｙ
ＩＩ
を互いに独立的な別体構成として
エ　「〔発明の効果〕
　以上詳述したところから明らかなように、本発明に係る多成分同時測定用ガス分析装置によれば、サンプルガスを所定の比率で分流すると共に、その分流されたサンプルガスを更に希釈してから、サンプルガス導入流路に対して互いに並列関係となるように配設された複数のガス濃度検出器に対して夫々供給するように構成してあるから、例えばセラミックの分析時におけるように、高濃度の成分ガスと低濃度の成分ガスが混在しているようなサンプルガスを対象とする場合であっても、
サンプルガス分流手段による分流比および各サンプルガス希釈手段による各希釈比を適当に調節設定することによって、夫々の成分ガスに対応するガス濃度検出器へ供給される各サンプルガスを夫々の測定に適した濃度にすることができる
サンプルガス分流手段による分流比および各サンプルガス希釈手段の各希釈比を適当に調節設定することによって、夫々の成分ガスに対応するガス濃度検出器へ供給される各サンプルガスを夫々の測定に適した濃度にすることができる
　
　上記の記載事項ア〜エから、刊行物１には、以下の発明が記載されていると認められる。
　
「ガス抽出部Ａとそれに連結された２成分同時測定用ガス分析部Ｂとから構成されているガス抽出式試料分析装置であって、
　前記ガス抽出部Ａは、キャリアガス導入流路０から供給されるキャリアガスの存在下で試料を加熱溶融することにより、その試料中に含まれている各種成分（酸素、窒素、水素など）に対応する各種成分ガス（ＣＯガス、Ｎ２ガス、Ｈ２ガスなど）を抽出するための加熱炉（黒鉛るつぼ）１と、パージ用電磁弁２とから構成され、
　前記２成分同時測定用ガス分析部Ｂは、前記ガス抽出部Ａのパージ用電磁弁２に接続されたサンプルガス導入流路３に、サンプルガスを所定の比率で分流して供給可能なサンプルガス分流手段Ｘを介して、ＣＯ濃度測定系ＩおよびＮ２濃度測定系ＩＩとを、互いに並列となる状態で夫々接続して構成され、
　前記ＣＯ濃度測定系Ｉは、前記サンプルガス分流手段Ｘにより分流されたサンプルガス分流流路及び前記キャリアガス導入流路０から分岐された第１キャリアガス流路０Ｉが導入されて前記サンプルガスを更に希釈可能なサンプルガス希釈手段ＹＩと、そのサンプルガス希釈手段ＹＩからの第１導出流路１２Ｉに介装された第１調圧器４Ｉ、第１流量調整用ニードル弁５Ｉ、ＣＯガス濃度測定用非分散型赤外線検出器から成る第１ガス濃度検出器ＤＩと、第１排出流路９Ｉとから構成され、
　前記Ｎ２濃度測定系ＩＩは、前記サンプルガス分流手段Ｘにより分流されたサンプルガス分流流路及び前記キャリアガス導入流路０から分岐された第２キャリアガス流路０ＩＩが導入されて前記サンプルガスを更に希釈可能なサンプルガス希釈手段ＹＩＩと、そのサンプルガス希釈手段ＹＩＩからの第２導出流路１２ＩＩに介装された第２調圧器４ＩＩ、第２流量調整用ニードル弁５ＩＩ、酸化器６、ＣＯ２除去器７、Ｈ２Ｏ除去器８、Ｎ２ガス濃度測定用熱伝導型検出器から成る第２ガス濃度検出器ＤＩＩと、第２排出流路９ＩＩとから構成されており、
　サンプルガス分流手段による分流比および各サンプルガス希釈手段の各希釈比を適当に調節設定することによって、夫々の成分ガスに対応するガス濃度検出器へ供給される各サンプルガスを夫々の測定に適した濃度にすることができるガス抽出式試料分析装置。」（以下、「引用発明３」という。）
　
（２）本願出願前に頒布され、原査定の拒絶の理由で引用された上記刊行物２の記載事項及び記載された発明は、上記「第２」の「３」の「（１）」の「イ」に記載したとおりである。
　
３　本願発明と引用発明３との対比
（１）引用発明３の「試料を加熱溶融することにより、その試料中に含まれている各種成分（酸素、窒素、水素など）に対応する各種成分ガス（ＣＯガス、Ｎ２ガス、Ｈ２ガスなど）を抽出するための加熱炉（黒鉛るつぼ）１」は、本願発明の「るつぼ内に収容された試料を加熱し、前記試料内に含まれる元素をガス化させてサンプルガスとするための抽出炉」に相当する。
　
（２）引用発明３の「加熱炉（黒鉛るつぼ）１」に「キャリアガス」を「供給」する「キャリアガス導入流路０」は、本願発明の「前記抽出炉に対してキャリアガスを導入するための導入流路」に相当する。
　
（３）引用発明３が「加熱炉（黒鉛るつぼ）１」と「パージ用電磁弁２」とを接続する流路を有するのは自明であるから、引用発明３の「加熱炉（黒鉛るつぼ）１」と「パージ用電磁弁２」とを接続する自明な流路と「前記ガス抽出部Ａのパージ用電磁弁２に接続されたサンプルガス導入流路３」は、本願発明の「前記サンプルガスと前記キャリアガスが混合された混合ガスを前記抽出炉から導出するための導出流路」に相当する。
　
（４）引用発明３が「第１導出流路１２Ｉに介装された第１調圧器４Ｉ、第１流量調整用ニードル弁５Ｉ、ＣＯガス濃度測定用非分散型赤外線検出器から成る第１ガス濃度検出器ＤＩと、第１排出流路９Ｉ」を接続する流路を有することは自明であり、この流路は、本願発明の「導出流路」に相当する。
　よって、引用発明３のこの自明な流路に「接続」される「ＣＯガス濃度測定用非分散型赤外線検出器から成る第１ガス濃度検出器ＤＩ」は、本願発明の「前記導出流路上に設けられており、前記混合ガスに含まれる元素を分析する元素分析部」に相当する。
　また、引用発明３が「第２導出流路１２ＩＩに介装された第２調圧器４ＩＩ、第２流量調整用ニードル弁５ＩＩ、酸化器６、ＣＯ２除去器７、Ｈ２Ｏ除去器８、Ｎ２ガス濃度測定用熱伝導型検出器から成る第２ガス濃度検出器ＤＩＩと、第２排出流路９ＩＩ」を接続する流路を有することは自明であり、この流路は、本願発明の「導出流路」に相当する。
　よって、引用発明３のこの自明な流路に「接続」される「Ｎ２ガス濃度測定用熱伝導型検出器から成る第２ガス濃度検出器ＤＩＩ」も、本願発明の「前記導出流路上に設けられており、前記混合ガスに含まれる元素を分析する元素分析部」に相当する。
　
（５）引用発明３の「キャリアガス導入流路０から分岐され」「サンプルガス希釈手段ＹＩ」を介して「第１導出流路１２Ｉ」に接続される「第１キャリアガス流路０Ｉ」、及び、「キャリアガス導入流路０から分岐され」「サンプルガス希釈手段ＹＩＩ」を介して「第２導出流路１２ＩＩ」に接続される「第２キャリアガス流路０ＩＩ」は、いずれも、本願発明の「前記導入流路から分岐して、前記導出流路において前記元素分析部の上流側に合流するバイパス流路」に相当する。
　
（６）引用発明３の「夫々の成分ガスに対応するガス濃度検出器へ供給される各サンプルガスを夫々の測定に適した濃度にする」ことと、本願発明の「前記バルブによって前記元素分析部における混合ガス中のサンプルガスの濃度が調節されるように構成されている」こととは、「前記元素分析部における混合ガス中のサンプルガスの濃度が調節されるように構成されている」点で共通する。
　
　そうすると、両者は、
「るつぼ内に収容された試料を加熱し、前記試料内に含まれる元素をガス化させてサンプルガスとするための抽出炉と、
　前記抽出炉に対してキャリアガスを導入するための導入流路と、
　前記サンプルガスと前記キャリアガスが混合された混合ガスを前記抽出炉から導出するための導出流路と、
　前記導出流路上に設けられており、前記混合ガスに含まれる元素を分析する元素分析部と、
　前記導入流路から分岐して、前記導出流路において前記元素分析部の上流側に合流するバイパス流路と、を備え、
　前記元素分析部における混合ガス中のサンプルガスの濃度が調節されるように構成されていることを特徴とする元素分析装置。」
の点で一致し、以下の点で相違する。
　
（相違点１）
　元素分析部における混合ガス中のサンプルガスの濃度を調節するために、本願発明は「前記バイパス流路上に設けられており、開度が調節可能なバルブ」を備え、「前記バルブによって」濃度の調節が行われるのに対し、引用発明３は「サンプルガス分流手段による分流比および各サンプルガス希釈手段の各希釈比を適当に調節設定する」ものであるが、本願発明の「バイパス流路」に相当する「第１キャリアガス流路０Ｉ」及び「第２キャリアガス流路０ＩＩ」に、開度が調節可能なバルブが設けられるか否か不明な点。
（相違点２）
　本願発明は「前記導出流路が一本の流路として形成されて」いるのに対し、引用発明３は、上記（４）で述べたように、「第１導出流路１２Ｉに介装された第１調圧器４Ｉ、第１流量調整用ニードル弁５Ｉ、ＣＯガス濃度測定用非分散型赤外線検出器から成る第１ガス濃度検出器ＤＩと、第１排出流路９Ｉ」を接続する流路と、「第２導出流路１２ＩＩに介装された第２調圧器４ＩＩ、第２流量調整用ニードル弁５ＩＩ、酸化器６、ＣＯ２除去器７、Ｈ２Ｏ除去器８、Ｎ２ガス濃度測定用熱伝導型検出器から成る第２ガス濃度検出器ＤＩＩと、第２排出流路９ＩＩ」を接続する流路の二本の流路からなる点。
４　相違点についての検討・判断
（相違点１について）
　引用発明２の「第２の流路」に「配置された」「マスフローコントローラー３２」を備え、「試料量、含有成分、次工程の分析装置の感度等に応じてガス化試料を適宜希釈する」ことは、マスフローコントローラーが流量制御のために開度が調節可能なバルブを備えることが技術常識であることに鑑みれば、本願発明の「前記バイパス流路上に設けられており、開度が調節可能なバルブ」と、を備え、「前記バルブによって」濃度の調節が行われることに相当する。よって、引用発明２は上記相違点１に係る本願発明の構成をすべて含むものといえる。
　そして、引用発明２は「大気圧イオン化質量分析装置８に導入する微量試料用熱脱離ガス発生装置」であって、試料に含まれる元素をガス化させて分析する装置の点で引用発明３と共通するから、引用発明３のサンプルガスの濃度を調節するための具体化手段として、引用発明２を適用して本願発明に想到することは、当業者が容易になし得たというべきである。
（相違点２について）
　引用発明３は、「ＣＯガス濃度」と「Ｎ２ガス濃度」の両者を検出するものであるが、元素分析の必要に応じて単純に１つの成分のみを検出対象とするものとして、「第１導出流路１２Ｉに介装された第１調圧器４Ｉ、第１流量調整用ニードル弁５Ｉ、ＣＯガス濃度測定用非分散型赤外線検出器から成る第１ガス濃度検出器ＤＩと、第１排出流路９Ｉ」を接続する流路のみとするか、「第２導出流路１２ＩＩに介装された第２調圧器４ＩＩ、第２流量調整用ニードル弁５ＩＩ、酸化器６、ＣＯ２除去器７、Ｈ２Ｏ除去器８、Ｎ２ガス濃度測定用熱伝導型検知器から成る第２ガス濃度検出器ＤＩＩと、第２排出流路９ＩＩ」を接続する流路のみとして、一本の流路とすることは当業者が容易になし得たというべきである。
　そして、本願発明の効果も、引用発明３及び引用発明２から当業者が予測し得る範囲内のものであり、格別顕著なものとはいえない。
　
第４　むすび
　以上のとおり、本願発明は、引用発明３及び引用発明２に基づいて、当業者が容易に発明をすることができたものであるから、特許法第２９条第２項の規定により特許を受けることができない。
　したがって、本願は、他の請求項について検討するまでもなく、拒絶すべきものである。
　よって、結論のとおり審決する。